(57)【要約】【課題】排気口から蜂などの虫が侵入することがなく、降雪の場合にも保護カバーに雪が積りにくく、若し堆積しても燃焼排ガスの流路抵抗の増加を抑制することのできる給排気装置を備えた密閉燃焼式機器を提供する。【解決手段】燃焼機器１に接続されて屋内外を仕切る隔壁３０に先端部を屋外側に突出して取付けられた給排気筒トップ４と、この給排気筒トップ４より大径でほぼ皿状の拡風体８と、ほぼ半球状の格子部２１及び取付けリング２２からなる保護カバー２０とを有し、拡風体８を給排気筒トップの排気口６より隔壁側３０にその底部９を屋外側にして取付け、拡風体８の隔壁３０側の開口部を給気筒７の給気口１２を介して給排気筒トップ４の給気路１３に連通すると共に、前記保護カバー２０を前記拡風板８に着脱可能に取付けた。【選択図】        図１
2004325016.tif 000002
【特許請求の範囲】
【請求項１】
屋外から燃焼用空気を取り入れて燃焼し、燃焼排ガスを屋外側に排出する密閉燃焼式機器において、
燃焼機器に接続されて屋内外を仕切る隔壁に先端部を屋外側に突出して取付けられた給排気筒トップと、該給排気筒トップより大径でほぼ皿状の拡風体と、ほぼ半球状の格子部及び縁取付けリングからなる保護カバーとを有し、前記拡風体を前記給排気筒トップの排気口より隔壁側にその底部を屋外側にして取付け、該拡風体の隔壁側の開口部を前記給気筒の給気口を介して前記給排気筒トップの給気路に連通すると共に、前記保護カバーを前記給排気筒トップの排気口を覆い前記拡風体に着脱可能に取付けた給排気装置を備えたことを特徴とする密閉燃焼式機器。
【請求項２】
前記保護カバーを、縁取りリングに設けた複数の係止片により前記拡風体に着脱可能に取付けたことを特徴とする請求項１記載の密閉燃焼式機器。
【請求項３】
前記保護カバーの格子部の開口部の短辺の長さを２．５ｍｍ以下としたことを特徴とする請求項１又は２記載の密閉燃焼式機器。
【請求項４】
前記保護カバーの格子部の穴の開口総面積を、給排気筒トップの排気口の開口総面積の２倍以上としたことを特徴とする請求項１，２，３のいずれかに記載の密閉燃焼式機器。
【発明の詳細な説明】
【０００１】
【発明の属する技術分野】
本発明は、屋外から燃焼用空気を取り入れて、都市ガス、液化石油ガス、灯油などの燃料を燃焼し、燃焼排ガスを屋外に排出する密閉燃焼式機器に係り、さらに詳しくは、密閉燃焼式機器に接続されて燃焼用空気を取り入れ、燃焼用排ガスを排出する給排気装置に関するものである。
【０００２】
【従来の技術】
従来のこの種の技術に、給排気筒トップの給気口と排気口の両者を包み込むようにして、ラス金網からなる給排気筒保護カバーを取付けた温風暖房機がある（例えば、特許文献１参照）。
また、室外に開口している給気筒の開口部及び排気筒の開口部に、通気性を有する金網をそれぞれ直接取付けた燃焼器具の給排気装置がある（例えば、特許文献２参照）。
【０００３】
【特許文献１】
実願昭６３−１３４８５５号（実開平２−５５０５４号）のマイクロフィルム
【特許文献２】
実願平３−１０７３８号（実開平４−１０８１４５号）のマイクロフィルム
【０００４】
【発明が解決しようとする課題】
特許文献１の温風暖房機においては、給排気筒保護カバーが積雪等に塞がれた場合に、燃焼排ガスが給気口から燃焼機内に流入しやすくなり、好ましくない。
また、特許文献２の給排気装置においては、給気口及び排気口に直接金網を取付けているため、流路の通過抵抗が増加して、燃焼用空気の流量が減少するという問題がある。さらに、降雪などの場合に金網の一部が雪などで塞がれたり、あるいは金網に埃等が堆積することにより、さらに通過抵抗が増加して燃焼用空気の流量が減少するなどの問題がある。
【０００５】
さらに、特許文献１，２の暖房機においては、いずれも給気口と排気口との間に、燃焼排ガスが給気口に流入するのを防止する手段が設けられていないため、屋外側から隔壁側に向う微風速の風が吹きつけた場合などに、燃焼排ガスが給気口から流入しやすいという問題がある。
【０００６】
本発明は、上記の課題を解決するためになされたもので、次のような機能を有する給排気装置を備えた密閉燃焼式機器を提供することを目的としたものである。
（１）給排気筒トップに設けた排気口に、給気口と独立して保護カバーを設けることにより、燃焼排ガスが給気口に流入しにくくする。
（２）排気筒の排気口から蜂などが内部に侵入して巣を作り、排気口を閉塞して燃焼排ガスの流出を阻害するのを防止する。
（３）降雪、積雪などの場合に保護カバーに雪が堆積しにくく、また、雪が堆積した場合でも燃焼排ガスの流路抵抗の増加を抑制して、耐性を向上させる。
【０００７】
【課題を解決するための手段】
本発明に係る密閉燃焼式機器は、屋外から燃焼用空気を取り入れて燃焼し、燃焼排ガスを屋外側に排出する密閉燃焼式機器において、燃焼機器に接続されて屋内外を仕切る隔壁に先端部を屋外側に突出して取付けられた給排気筒トップと、該給排気筒トップより大径でほぼ皿状の拡風体と、ほぼ半球状の格子部及び縁取付けリングからなる保護カバーとを有し、前記拡風体を前記給排気筒トップの排気口より隔壁側にその底部を屋外側にして取付け、該拡風体の隔壁側の開口部を前記給気筒の給気口を介して前記給排気筒トップの給気路に連通すると共に、前記保護カバーを前記給排気筒トップの排気口を覆い前記拡風体に着脱可能に取付けた給排気装置を備えたものである。
【０００８】
【発明の実施の形態】
図１は本発明の１実施の形態に係る密閉燃焼式機器の説明図である。
一端が密閉燃焼式機器（以下、燃焼機器という）に接続された排気管２及び給気管（図示せず）の他端にはヘッダ３が接続されており、このヘッダ３には、排気筒５とその外周に同心的に配設された給気筒７とからなる給排気筒トップ４の一端が接続されている。そして、この給排気筒トップ４は、屋内外を仕切る隔壁３０に設けた穴３１に貫挿されて先端部を屋外側に突出させ、フランジ３２ａ，３２ｂにより屋外側が下方になるように傾斜して隔壁３０に取り付けられている。
【０００９】
排気筒５は給気筒７より屋外側に突出しており、その先端部近傍には複数の排気口６が設けられている。また、給気筒７の屋外側先端部には、排気筒５の排気口６より隔壁３０側において、給排気筒トップ４より大径の拡風体８が設けられている。
【００１０】
この拡風体８は円形の底部９と周壁１０とによりほぼ皿状に形成されており、底部９を屋外側にしてこれに設けた穴９ａを排気筒５に挿入し、給気筒７の屋外側に取り付けられる。そして、隔壁３０側の開口部が、給気筒７に設けた給気口１２を介して排気筒５と給気筒７との間に形成された給気路１３に連連する。なお、この拡風体８の周壁１０の端縁部には、図４に示すように、外側かつ斜め上方に巻き込まれてカーリング部１１が形成されている。
【００１１】
給排気装置の拡風体８の周壁１０から排気筒５の排気口６の領域を覆う保護カバー２０は、図２に示すように、金網あるいは多数の穴があけられたパンチングメタル等からなるほぼ半球状の格子部２１と、薄板材からなり、拡風体８の周壁１０の外径とほぼ等しい内径で、格子部２１の開口部に取付けられた縁取りリング２２とからなり、縁取りリング２２の端部には複数の係止片２３が突設されている。
【００１２】
格子２１の穴の開口部の寸法は、四角形の穴の場合、短辺の長さが２．５ｍｍ以下に形成され、蜂やかめ虫、てんとう虫などが侵入できないようになっている。なお、穴の形状が円形などの場合も、これに準じた大きさに形成される。また、穴の開口総面積は、排気口６の開口総面積の２倍以上になるように設定されている。
【００１３】
上記のような保護カバー２０は、図３に示すように、排気筒５の排気口６を覆ってその縁取りリング２２を拡風体８の周壁１０に嵌合し、図４に示すように、各係止片２３を拡風体８の周壁１０に設けたカーリング部１１に沿って矢印で示すように折曲げて固定する。これにより、保護カバー２０は給排気筒トップ４に着脱可能に装着される。この場合、拡風体８の周壁１０の端縁部にはカーリング部１１が設けられているので、係止片２３の折曲げが容易かつ安全である。
【００１４】
上記のように構成した本実施の形態においては、拡風体８の開口部から給気筒７の給気口１２を介して給気路１３、給気管を経て燃焼機器１に導入された燃焼用空気は、バーナーに送られて燃料と混合し、燃焼する。そして、燃焼によって発生した燃焼排ガスは、排気管２、排気筒５を経て排気口６から保護カバー２０の格子部２１を通って屋外に排気される。
【００１５】
本実施の形態においては、短辺の長さが２．５ｍｍ以下の穴を有する格子部２１により排気口６を覆うようにしたので、蜂などの虫が排気筒５内に侵入して巣を作るのを防止できるばかりでなく、かめ虫やてんとう虫が排気口６から侵入して燃焼機器の内部に入り込み、バーナーや点火機構部に悪影響を与えることがない。
【００１６】
また、格子部２１をほぼ半球状に形成したので雪が堆積しにくく、若し、図５に示すように、降雪により保護カバー２０の上部に雪２５が堆積しても、格子部２１の穴の開口総面積を排気口６の開口総面積の２倍以上にしたので、例えば、格子部２１の上部の２分の１が雪２５で塞がれた場合でも、燃焼排ガスの流線１５ｃ，１５ｄは半球状の格子部２１のほぼ垂直面を通過するため、燃焼排ガスの通過抵抗がほとんど増加することがなく、円滑に排気することができる。このため、燃焼用空気の流量の減少を防止することができ、降雪による耐性を向上することができる。
【００１７】
【発明の効果】
本発明に係る密閉燃焼式機器は、屋外から燃焼用空気を取り入れて燃焼し、燃焼排ガスを屋外側に排出する密閉燃焼式機器において、燃焼機器に接続されて屋内外を仕切る隔壁に先端部を屋外側に突出して取付けられた給排気筒トップと、該給排気筒トップより大径でほぼ皿状の拡風体と、ほぼ半球状の格子部及び縁取付けリングからなる保護カバーとを有し、前記拡風体を前記給排気筒トップの排気口より隔壁側にその底部を屋外側にして取付け、該拡風体の隔壁側の開口部を前記給気筒の給気口を介して前記給排気筒トップの給気路に連通すると共に、前記保護カバーを前記給排気筒トップの排気口を覆い前記拡風体に着脱可能に取付けたので、蜂などの虫が排気筒内に侵入して巣を作るのを防止できるばかりでなく、かめ虫やてんとう虫が排気口から侵入して燃焼機器の内部に入り込み、バーナーや点火機構部に悪影響を与えることがない。
【図面の簡単な説明】
【図１】本発明の１実施の形態に係る密閉燃焼式機器の説明図である。
【図２】図１の保護カバーの正面図及び側面図である。
【図３】図２の保護カバーの給排気装置への取付状態を示す説明図である。
【図４】図３の要部の拡大図である。
【図５】本実施の形態の作用説明図である。
【符号の説明】
１  燃焼機器、４  給排気筒トップ、５  排気筒、６  排気口、７  給気筒、８  拡風体、１２  給気口、１３  給気路、２０  保護カバー、２１  格子部、２２  縁取りリング、２３  係止片、２５  雪、３０  隔壁。
【図１】
2004325016.tif 000003
【図２】
2004325016.tif 000004
【図３】
2004325016.tif 000005
【図４】
2004325016.tif 000006
【図５】
2004325016.tif 000007